(57)【要約】【課題】  水洗便器用薬剤供給機構において、洗浄水の水圧が高いことに起因して洗浄水が溢れることを防止する。【解決手段】洗浄水供給管に連結される連通管内に減圧弁１００を配設する。洗浄水供給管から供給される洗浄水の水圧が所定以上高い場合でも、減圧弁１００を通過することにより、適正な水圧に低下させることができ、本体ケースから洗浄水が溢れるようなことを防止できる。減圧弁は、筒状のハウジング１０１に加え、洗浄水流通孔の開口面積を制御する弁体１０３を備えているが、弁体自体に液体の流通孔を貫通形成するのではなく、ハウジング１０１に切り欠き部１０１０を形成し、弁体１０３の外周面と連通管の内周面との間隙を液体の流路とした構成であり、細径の連通管内に挿入して用いる減圧弁として適している。【選択図】    図５
2015161095.tif 000002
【特許請求の範囲】
【請求項１】
水洗便器に洗浄水を供給する洗浄水供給管から連通管を介して本体ケース内に洗浄水を取り込み、本体ケース内に配置された薬剤供給手段から供給される薬剤を本体ケース内に取り込まれた洗浄水に混合させ、薬剤が混合された洗浄水を前記連通管を介して前記洗浄水供給管内に流出させて水洗便器へ供給する水洗便器用薬剤供給機構において、
前記連通管内に挿入可能な外径で形成され、内部に長手方向に貫通する洗浄水流通孔を備えたハウジングと、
洗浄水が前記洗浄水供給管から前記本体ケースに取り込まれる際に、前記洗浄水流通孔の開口面積を制御する弁体と
を備えてなる減圧弁が、前記連通管内に配設されていることを特徴とする水洗便器用薬剤供給機構。
【請求項２】
前記ハウジングが、長手方向の中途に設けられた切り欠き部を挟んで形成され、軸方向に貫通する洗浄水流通孔をそれぞれの内部に備えた第１筒部及び第２筒部を有してなり、
前記弁体が、前記切り欠き部に対応する位置に設けられ、外周面と、挿入対象の前記連通管の内周面との間で洗浄水の流路を形成する構造である請求項１記載の水洗便器用薬剤供給機構。
【請求項３】
前記ハウジングは、前記第１筒部を前記洗浄水供給管側に位置させ、前記第２筒部を前記本体ケース側に位置させて前記連通管内に挿入配設され、
前記弁体は、前記本体ケース側に位置する第２筒部に設けられた洗浄水流通孔の開口面積を制御する構造である請求項２記載の水洗便器用薬剤供給機構。
【請求項４】
前記弁体は、小径部及び大径部を備えた一体型であり、前記大径部が前記第２筒部側に位置するように設けられると共に、
前記弁体には、前記ハウジングの軸方向に沿って配設されたシャフトが挿通され、
前記洗浄水供給管から前記本体ケースに洗浄水が取り込まれる際に、前記弁体が前記シャフトに沿って前記第２の筒部側に大径部が当接し、前記第２筒部の洗浄水流通孔の開口面積を低減させる構造である請求項３記載の水洗便器用薬剤供給機構。
【請求項５】
水洗便器に洗浄水を供給する洗浄水供給管から連通管を介して本体ケース内に洗浄水を取り込み、本体ケース内に配置された薬剤供給手段から供給される薬剤を本体ケース内に取り込まれた洗浄水に混合させ、薬剤が混合された洗浄水を前記連通管を介して前記洗浄水供給管内に流出させて水洗便器へ供給する水洗便器用薬剤供給機構に用いられる減圧弁であって、
前記連通管内に挿入可能な外径で形成され、内部に長手方向に貫通する洗浄水流通孔を備えたハウジングと、
洗浄水が前記洗浄水供給管から前記本体ケースに取り込まれる際に、前記洗浄水流通孔の開口面積を制御する弁体と
を備えてなり、前記連通管内に配設されるものであることを特徴とする減圧弁。
【請求項６】
前記ハウジングが、長手方向の中途に設けられた切り欠き部を挟んで形成され、軸方向に貫通する洗浄水流通孔をそれぞれの内部に備えた第１筒部及び第２筒部を有してなり、
前記弁体が、前記切り欠き部に対応する位置に設けられ、外周面と、挿入対象の前記連通管の内周面との間で洗浄水の流路を形成する構造である請求項５記載の減圧弁。
【請求項７】
前記ハウジングは、前記第１筒部を前記洗浄水供給管側に位置させ、前記第２筒部を前記本体ケース側に位置させて前記連通管内に挿入配設され、
前記弁体は、前記本体ケース側に位置する第２筒部に設けられた洗浄水流通孔の開口面積を制御する構造である請求項６記載の減圧弁。
【請求項８】
前記弁体は、小径部及び大径部を備えた一体型であり、前記大径部が前記第２筒部側に位置するように設けられると共に、
前記弁体には、前記ハウジングの軸方向に沿って配設されたシャフトが挿通され、
前記洗浄水供給管から前記本体ケースに洗浄水が取り込まれる際に、前記弁体が前記シャフトに沿って前記第２の筒部側に大径部が当接し、前記第２筒部の洗浄水流通孔の開口面積を低減させる構造である請求項７記載の減圧弁。
【発明の詳細な説明】
【技術分野】
【０００１】
本発明は、水洗便器用薬剤供給機構及び減圧弁に関し、特に、洗浄水供給管から水洗便器に洗浄水が供給されると、水洗便器に消毒、消臭、洗浄などを目的とした必要量の薬剤を供給する水洗便器用薬剤供給機構及びそれに用いられる減圧弁に関する。
【背景技術】
【０００２】
従来、水洗便器に洗浄水を供給する洗浄水供給管と組み合わせて使用され、水洗便器に洗浄水が流れる度に水洗便器内に消毒、消臭、洗浄などを目的とした薬剤（通常は液状タイプ（薬液））を供給する水洗便器用薬剤供給機構が知られている。このような水洗便器用薬剤供給機構は、これまでに種々の構造のものが知られているが、基本的には、特許文献１及び２に示された構造を利用したものである。すなわち、本体ケース内に、薬剤を浸出可能な薬剤容器とフロートとを配設すると共に、本体ケースに弁室を付設し、さらに、弁室内に配設した弁体と上記フロートとを連結し、該弁室と洗浄水供給管とを連通管により接続した構造である。洗浄水供給管内を洗浄水が流れると、その一部が連通管を介して弁室内に取り込まれ、さらに、弁室から本体ケース内に両者の連絡孔を介して取り込まれることにより、薬剤が洗浄水と混合され、フロートが所定量浮き上がると弁体が連絡孔を閉じ、洗浄水の流入量を制限する。そして、洗浄水供給管内を流れる洗浄水量が少なくなって水圧が低下すると、弁体が下降して連絡孔を開き、薬剤が混合された洗浄水が連通管から洗浄水供給管に流出し、さらに水洗便器に供給される。
【先行技術文献】
【特許文献】
【０００３】
【特許文献１】特公昭４９−２１５４１号公報
【特許文献２】特開２００３−９６８７３号公報
【発明の概要】
【発明が解決しようとする課題】
【０００４】
上記した水洗便器用薬剤供給機構は、洗浄水供給管を流れる洗浄水を取り込むことによって薬剤を希釈する構造である。そのため、洗浄水供給管を流れる洗浄水の水圧が高いほど、多量の洗浄水が取り込まれることになる。しかしながら、洗浄水供給管を流れる洗浄水圧は、取り付け対象の洗浄水供給管によって異なり、一定していない。特許文献１及び２の水洗便器用薬剤供給機構は、基本的には、ある程度の水圧の変動があっても正常動作する構造であるが、施設によっては洗浄水供給管の水圧が想定以上に高い場合がある。そのため、洗浄水が連通管を介して勢いよく本体ケース内に取り込まれ、フロートが上昇しても、洗浄水の勢いにより弁体やフロートが振動し続け、連通孔が閉じずに、洗浄水の流入が適正なタイミングで止まらず、本体ケースから洗浄水が溢れてしまう可能性もある。
【０００５】
本発明は上記に鑑みなされたものであり、洗浄水供給管の水圧が所定以上高い場合であっても、本体ケース内への洗浄水の流入量を適切に制御できる水洗便器用薬剤供給機構及び該水洗便器用薬剤供給機構に用いられる減圧弁を提供することを課題とする。
【課題を解決するための手段】
【０００６】
上記課題を解決するため、本発明の水洗便器用薬剤供給機構は、水洗便器に洗浄水を供給する洗浄水供給管から連通管を介して本体ケース内に洗浄水を取り込み、本体ケース内に配置された薬剤供給手段から供給される薬剤を本体ケース内に取り込まれた洗浄水に混合させ、薬剤が混合された洗浄水を前記連通管を介して前記洗浄水供給管内に流出させて水洗便器へ供給する水洗便器用薬剤供給機構において、前記連通管内に挿入可能な外径で形成され、内部に長手方向に貫通する洗浄水流通孔を備えたハウジングと、洗浄水が前記洗浄水供給管から前記本体ケースに取り込まれる際に、前記洗浄水流通孔の開口面積を制御する弁体とを備えてなる減圧弁が、前記連通管内に配設されていることを特徴とする。
【０００７】
前記ハウジングが、長手方向の中途に設けられた切り欠き部を挟んで形成され、軸方向に貫通する洗浄水流通孔をそれぞれの内部に備えた第１筒部及び第２筒部を有してなり、前記弁体が、前記切り欠き部に対応する位置に設けられ、外周面と、挿入対象の前記連通管の内周面との間で洗浄水の流路を形成する構造であることが好ましい。
前記ハウジングは、前記第１筒部を前記洗浄水供給管側に位置させ、前記第２筒部を前記本体ケース側に位置させて前記連通管内に挿入配設され、前記弁体は、前記本体ケース側に位置する第２筒部に設けられた洗浄水流通孔の開口面積を制御する構造であることが好ましい。
前記弁体は、小径部及び大径部を備えた一体型であり、前記大径部が前記第２筒部側に位置するように設けられると共に、前記弁体には、前記ハウジングの軸方向に沿って配設されたシャフトが挿通され、前記洗浄水供給管から前記本体ケースに洗浄水が取り込まれる際に、前記弁体が前記シャフトに沿って前記第２の筒部側に大径部が当接し、前記第２筒部の洗浄水流通孔の開口面積を低減させる構造であることが好ましい。
【０００８】
本発明の減圧弁は、水洗便器に洗浄水を供給する洗浄水供給管から連通管を介して本体ケース内に洗浄水を取り込み、本体ケース内に配置された薬剤供給手段から供給される薬剤を本体ケース内に取り込まれた洗浄水に混合させ、薬剤が混合された洗浄水を前記連通管を介して前記洗浄水供給管内に流出させて水洗便器へ供給する水洗便器用薬剤供給機構に用いられる減圧弁であって、前記連通管内に挿入可能な外径で形成され、内部に長手方向に貫通する洗浄水流通孔を備えたハウジングと、洗浄水が前記洗浄水供給管から前記本体ケースに取り込まれる際に、前記洗浄水流通孔の開口面積を制御する弁体とを備えてなり、前記連通管内に配設されるものであることを特徴とする。
【０００９】
前記ハウジングが、長手方向の中途に設けられた切り欠き部を挟んで形成され、軸方向に貫通する洗浄水流通孔をそれぞれの内部に備えた第１筒部及び第２筒部を有してなり、前記弁体が、前記切り欠き部に対応する位置に設けられ、外周面と、挿入対象の前記連通管の内周面との間で洗浄水の流路を形成する構造であることが好ましい。
前記ハウジングは、前記第１筒部を前記洗浄水供給管側に位置させ、前記第２筒部を前記本体ケース側に位置させて前記連通管内に挿入配設され、前記弁体は、前記本体ケース側に位置する第２筒部に設けられた洗浄水流通孔の開口面積を制御する構造であることが好ましい。
前記弁体は、小径部及び大径部を備えた一体型であり、前記大径部が前記第２筒部側に位置するように設けられると共に、前記弁体には、前記ハウジングの軸方向に沿って配設されたシャフトが挿通され、前記洗浄水供給管から前記本体ケースに洗浄水が取り込まれる際に、前記弁体が前記シャフトに沿って前記第２の筒部側に大径部が当接し、前記第２筒部の洗浄水流通孔の開口面積を低減させる構造であることが好ましい。
【発明の効果】
【００１０】
本発明は、連通管内に挿入配設される減圧弁を備えている。従って、洗浄水供給管から供給される洗浄水の水圧が所定以上高い場合でも、減圧弁を通過することにより、適正な水圧に低下させることができ、本体ケースから洗浄水が溢れるようなことを防止できる。また、減圧弁は連通管内に挿入され、連通管の外部に露出する構造ではない。そのため、既存の連通管をそのまま用いることができる。また、既存の連通管の内径は、通常、５〜８ｍｍ程度である。本発明の水洗便器薬剤供給機構の減圧弁は、筒状のハウジングに加え、洗浄水流通孔の開口面積を制御する弁体を備えているが、ハウジングの外径を連通管の内径以下として、さらに、該ハウジング内に弁体を設けようとすると、弁体の直径が非常に小さくなり、その小さな弁体に液体の流通孔を貫通形成したりすることは精密な作業が必要で製造コストも高くなる。しかし、本発明によれば、弁体自体に液体の流通孔を貫通形成するのではなく、ハウジングに切り欠き部を形成し、弁体の外周面と連通管の内周面との間隙を液体の流路とした構成であり、細径の連通管内に挿入して用いる減圧弁として適している。
【００１１】
また、ハウジングが切り欠き部を挟んで第１筒部及び第２筒部を有し、各筒部に洗浄水流通孔を形成し、切り欠き部に配置される弁体を小径部と大径部を有する構成とすることが好ましい。それにより、大径部が第２筒部の端面に当接している際には、該第２筒部の洗浄水流通孔の開口面積を狭くして洗浄水の水圧を容易に低下させることができる一方、洗浄水が本体ケース側から洗浄水供給管側に流れる際には、弁体が第１筒部に当接しても、小径部によって大径部と第１筒部の端部との間に液体が流れる隙間が確保されるため、洗浄水を抵抗なく洗浄水供給管側に流出させることができる。
【図面の簡単な説明】
【００１２】
【図１】図１は、本発明の一の実施形態に係る水洗便器用薬剤供給機構の全体構成を示した図である。
【図２】図２は、上記水洗便器用薬剤供給機構の本体ケースの内部構造を説明するための図である。
【図３】図３は、上記水洗便器用薬剤供給機構の本体ケース内の内部構造を説明するための図である。
【図４】図４は、図１のＡ部拡大図であり、減圧弁の配設位置を説明するための図である。
【図５】図５（ａ）は、弁体の小径部が第１筒部の端面に当接した状態を示した斜視図であり、図５（ｂ）は、図５（ａ）の断面図である。
【図６】図６（ａ）は、弁体の大径部が第２筒部の端面に当接した状態を示した斜視図であり、図６（ｂ）は、図６（ａ）の断面図である。
【図７】図７（ａ）は、減圧弁のハウジングの構造を説明するための図であり、図７（ｂ）は、図７（ａ）のＡ−Ａ矢視図である。
【図８】図８（ａ）は弁体の断面図であり、図８（ｂ）はシャフトを示した図である。
【発明を実施するための形態】
【００１３】
以下、図面を用いて、本発明の実施形態を説明する。まず、本実施形態の減圧弁１００を使用した水洗便器用薬剤供給機構１の全体構成を説明する。水洗便器用薬剤供給機構１は、図１に示したように、水洗便器に洗浄水を供給する洗浄水供給管２００から連通管１１０を介して本体ケース１０内に洗浄水を取り込み、供給される薬剤を本体ケース１０内に取り込まれた洗浄水により希釈し、洗浄水供給管２００内の内圧減少に伴って、薬剤が混合された洗浄水を前記連通管１１０を介して再び洗浄水供給管２００内に流出させて、水洗便器内へと流すように構成されている。
【００１４】
洗浄水供給管２００は、例えば、上下縦方向に延びて配管されており、上端部は図示しない洗浄水タンクに接続され、下端部は図示しない水洗便器に接続されている。かかる洗浄水供給管２００の途中には、連通管１１０の一端部１１０ａが接続され、他端部は本体ケース１０に連結されている。
【００１５】
水洗便器用薬剤供給機構１の本体ケース１０は本実施形態では正面から見て略方形に形成され、後部に位置する板状のベース部材１１と一面が開放された箱状の蓋部材１２とから構成される。蓋部材１２は、例えば係合溝と係合爪との係合構造やボルト等の締結具を利用するなどしてベース部材１１に組付固定される。
【００１６】
前記本体ケース１０内には、水容器１３が配設され、この水容器１３の内側に、図３に示したように、薬剤供給手段が配設される。薬剤供給手段は水容器１３内に洗浄水が取り込まれた際に、洗浄水に混合される所定量の薬剤を供給できるものであればよく、本実施形態では、図３に示したように、内部に液状の薬剤が充填されると共に、海綿体の如き浸出性瓶栓１４Ａを下向きにして倒立して設けられる薬剤瓶１４がセットされる。
【００１７】
前記蓋部材１２の前壁上部の開口部には複数の長孔が開設された内蓋部材１５が嵌め込まれると共に、内蓋部材１５の前面には、これを覆うような外蓋部材１６が装着され、この外蓋部材１６には、多数のスリット状の開口部１６Ａが開設される。本体ケース１０の底壁には、水洗便器に洗浄水を供給する洗浄水供給管２００の途中に連結された連通管１１０に接続される洗浄水流入・排出部２０が設けられている。
【００１８】
洗浄水流入・排出部２０は上部管部材２０Ａと、この上部管部材２０Ａの下端部外周面にねじ嵌合される下部管部材２０Ｂとからなる。下部管部材２０Ｂの周壁には前記連通管１９の連通接続部となる接続口２０Ｃが設けられている。そして、上部管部材２０Ａの上端部を本体ケース１０の底壁及び水容器１３底壁の取付孔に貫通させ、該取付孔から突出する上部管部材２０Ａの上端部外周面にナット部材２１をねじ嵌合することにより、本体ケース１０並びに水容器１３に取り付けられる。このナット部材２１には、後述する弁軸２４が貫通支持される支持孔２１Ａを上端面に有する。また、ナット部材２１には、その周壁に開口する貫通孔２１Ｂが設けられ、この貫通孔２１Ｂが、本体ケース１０と洗浄水流入・排出部２０とを連通する連通孔２０Ｄと連通していることにより、洗浄水の流入及び排出を許容する。
【００１９】
本体ケース１０内の水容器１３の内側には、フロート２２が上下動自由に収納される。フロート２２の下端部には、該フロート２２と一体的に動作する弁体２３が、上部管部材２０Ａの連通孔２０Ｄの内側を貫通する弁軸２４を介して連結され、洗浄水流入・排出部２０を構成する下部管部材２０Ｂ内に収容配設される。また、弁体２３は略円錐台形状に形成されており、その外面はテーパ状となっている。上部管部材２０Ａの連通孔２０Ｄの下端開口部内周面には、前記フロート２２の上動時に弁体２３の外面が当接すると合致して、連通孔２０Ｄを閉塞する円錐状テーパ面からなる弁座２５が形成されている。
【００２０】
ここで、減圧弁１００は、連通管１１０内に配設される。具体的には、連通管１１０のうち、洗浄水供給管２００との接続端部である一端部１１０ａから挿入配設される。減圧弁１００は、図４〜図８に示したように、ハウジング１０１、シャフト１０２及び弁体１０３を有して構成される。
【００２１】
ハウジング１０１は、外径が連通管１１０の内周面に密接可能な程度の筒状に形成されている。一端部には、フランジ部１０１ａが形成され、このフランジ部１０１ａが連通管１１０の一端部１１０ａの端面に密着するように取り付けられる。ハウジング１０１は、長手方向略中央部に所定の範囲に亘って切り欠き部１０１０を有し、この切り欠き部１０１０を挟んで前記フランジ部１０１ａが形成されている側の第１筒部１０２０と、反対側の第２筒部１０３０の２つの筒部を備えている。第１筒部１０２０及び第２筒部１０３０の間の切り欠き部１０１０は、ハウジング１０１の周囲に位置する連通管１１０の内周面との間で洗浄水の流路を形成するために設けられる。本実施形態では、円周の約半分の長さに亘って切り欠かれており、切り欠き部１０１０に円周方向に隣接する残りの半管状部１０４０は、第１筒部１０２０及び第２筒部１０３０を連結する連結部となっている。
【００２２】
第１筒部１０２０及び第２筒部１０３０内の中心部には、それぞれ軸挿通孔１０２１，１０３１が形成され、該軸挿通孔１０２１，１０３１を形成している周壁部１０２１ａ，１０３１ａの外側に、洗浄水の流路となる洗浄水流通孔１０２２，１０３２が形成されている。第１筒部１０２０に形成される第１洗浄水流通孔１０２２は、洗浄水の流入時及び流出時のいずれも洗浄水があまり抵抗なく流れる流路であり、その大きさや形状は限定されるものではない。一方、第２筒部１０３０に形成される第２洗浄水流通孔１０３２は、後述の弁体１０３が密接している状態で、ほぼ閉塞されるような大きさや形状で形成される。この点についてはさらに後述する。
【００２３】
上記した第１筒部１０２０及び第２筒部１０３０を有するハウジング１０１は、塩化ビニル樹脂等の合成樹脂から一体成形されるが、第１筒部１０２０及び第２筒部１０３０に形成された軸挿通孔１０２１及び１０３１には、金属製好ましくはステンレス製のシャフト１０２が挿通されて支持される。
【００２４】
シャフト１０２は、一端側が第１筒部１０２０の軸挿通孔１０２１に挿通され、他端側第２筒部１０３０の軸挿通孔１０３１に挿通されるため、切り欠き部１０１０に対応する部分は露出した状態となっており、この露出した状態となっている部分に、弁体１０３が配設されている。
【００２５】
弁体１０３は、軸方向に沿って円柱状の小径部１０３ａと、それよりも外径の大きい円柱状の大径部１０３ｂとが軸方向に一体に形成された形状を有していると共に、軸方向中心には、貫通孔１０３ｃが一端から他端まで貫いて形成されている。ハウジング１０１と同様に、塩化ビニル樹脂等の合成樹脂により一体成形される。そして、貫通孔１０３ｃにシャフト１０２が挿通されることにより、上記したハウジング１０１の第１筒部１０２０及び第２筒部１０３０間の切り欠き部１０１０に相当する位置で支持されている。
【００２６】
弁体１０３の貫通孔１０３ｃは、シャフト１０２の外径よりも若干大きな内径で形成されている。そのため、弁体１０３は、シャフト１０２の外周面に沿って軸方向にほぼ抵抗なく動くことができるようになっている。また、弁体１０３は、第１筒部１０２０側に小径部１０３ａが位置し、第２筒部１０３０側に大径部１０３ｂが位置するように上記シャフト１０２に支持される。
【００２７】
ここで、本実施形態では、第２筒部１０３０に形成される第２洗浄水流通孔１０３２は、軸挿通孔１０３１の周壁部１０３１ａの外側に所定幅の長孔を円弧状にした形状で形成され、かつ、円周方向に所定間隔毎に３つ形成されている。そして、この３つの第２洗浄水流通孔１０３２の各円弧の外周を結んだ仮想円の直径Ｄ１（図７（ｂ）参照）が、弁体１０３の大径部１０３ｂの外径よりも僅かに、例えば、０．１〜０．５ｍｍ程度大きくなるような条件で形成されている。上記したように弁体１０３の大径部１０３ｂは、第２筒部１０３０側に位置している。従って、弁体１０３の大径部１０３ｂが第２筒部１０３０の端面に密接した際には、第２洗浄水流通孔１０３２のほとんどの部分を閉塞するが、上記のように、第２洗浄水流通孔１０３２の各円弧の外周を結んだ仮想円の直径Ｄ１が、弁体１０３の大径部１０３ｂの外径よりも僅かに大きいため、弁体１０３の大径部１０３ｂが第２筒部１０３０の端面に密接していても、大径部１０３ｂの外側において各第２洗浄水流通孔１０３２は僅かに隙間がある状態となるように開口面積を制御する（低減させる）。第１筒部１０２０側から第２筒部１０３０側に洗浄水が流れる際には、第２洗浄水流通孔１０３２のこの僅かな隙間のみを通過できることになる。第２洗浄水流通孔１０３２を３つ形成したのは、それによって、軸挿通孔１０３１を形成する周壁部１０３１ａと一体の支持壁１０３１ｂが３つ形成されることになり、該周壁部１０３１ａをその形状が維持されるように支持でき、該軸挿通孔１０３１に挿通されるシャフト１０２を安定して支持できる。但し、第２洗浄水流通孔１０３２の形成数や形状は図示したものにされるものではない。
【００２８】
一方、第１筒部１０２０側の対向する端面に対しては、弁体１０３は小径部１０３ａが当接する。小径部１０３ａは、シャフト１０２の直径よりも若干大きな外径（例えばシャフト１０３が直径１．２ｍｍの場合に小径部１０３ａが２．０ｍｍ）で形成されている。従って、小径部１０３ａが第１筒部１０２０の端面に当接した際には、シャフト１０２の軸挿通孔１０２１の周壁部１０２１ａに当接し、その外側に位置する第１洗浄水流通孔１０２２を閉塞することはない。そのため、第１洗浄水流通孔１０２２は、弁体１０３の小径部１０３ａが第１筒部１０２０側に接している場合（図５（ａ），（ｂ）の状態）、離間している場合（図６（ａ），（ｂ）の状態）のいずれであっても、常に開放状態となっており、洗浄水は第１洗浄水流通孔１０２２を抵抗なく流通できる。第１洗浄水流通孔１０２２は、このように、周壁部１０２１ａの外側に形成されていれば弁体１０３によってふさがれることはなく、洗浄水があまり抵抗なく流通できる大きさであれば、その形状は限定されるものではない。但し、本実施形態では、第２筒部１０３０に形成した上記の第２洗浄水流通孔１０３２と同様の大きさ、位置となるように、軸挿通孔１０２１の周壁部１０２１ａを安定して支持する支持壁１０２１ｂを円周方向に３つ形成し、それぞれの間に、所定幅の長孔を円弧状にした第１洗浄水流通孔１０２２を３つ形成している。
【００２９】
本実施形態の減圧弁１００は、洗浄水供給管２００を流れる洗浄水の水圧が所定以上の場合に取り付けられる。具体的には、減圧弁１００は、連通管１１０内に、洗浄水供給管２００との接続端部である一端部１１０ａから、第２筒部１０３０側が水洗便器用薬剤供給機構１の本体ケース１０側となるように挿入して配設する（図１及び図４参照）。洗浄水供給管２００を水圧の高い洗浄水が流れると、該洗浄水の一部が、連通管１１０内に取り込まれるが、減圧弁１１０が連通管１１０内に配置されているため、該洗浄水は必ず減圧弁１１０を通過する。まず、第１筒部１０２０内に侵入した洗浄水は、第１洗浄水流通孔１０２２を通過する。このとき、洗浄水の水圧により、弁体１０３は、大径部１０３ｂが第２筒部１０３０の端面に密接し、図６（ａ），（ｂ）に示した状態になる。それにより、第２洗浄水流通孔１０３２のほとんどの部分が閉塞される。洗浄水は、第１洗浄水流通孔１０２２を経た後、切り欠き部１０１０における弁体１０３の外周面と連通管１１０の内周面との間を通過して、大径部１０３ｂの外側にある僅かな隙間から第２洗浄水流通孔１０３２内に浸入しようとする。洗浄水はこの切り欠き部１０１０の形成された位置までは抵抗なく移動できるが、第２洗浄水流通孔１０３２に浸入しようとするときは、弁体１０３の大径部１０３ｂによって大きな抵抗を受けることになる。そのため、第２洗浄水流通孔１０３２を通過する洗浄水の水量が少なくなり、水圧も低下する。水圧が低下した洗浄水が第２洗浄水流通孔１０３２を経て連通管１１０から水洗便器用薬剤供給機構１の洗浄水流入・排出部２０内に取り込まれる。その後は、本体ケース１０内の水容器１３に浸入し、フロート２２が上昇し、弁体２３が、連通孔２０Ｄの下端開口部に位置する弁座２５に当接すると、該連通孔２０Ｄが閉塞される。水容器１３内に洗浄水が取り込まれることにより、薬剤瓶１４から浸出した薬剤が洗浄水と混合される。
【００３０】
洗浄水供給管２００の洗浄水の水圧が低下してくると、弁体２３が弁座２５から離れ、連通孔２０Ｄを開放する。連通孔２０Ｄが開放されると薬剤が混合された洗浄水が、連通管１１０から洗浄水供給管２００に向かって流れる。その際、薬剤が混合された洗浄水は、減圧弁１００を再び通過する。薬剤が混合された洗浄水は、減圧弁１００の第２筒部１０３０側から減圧弁１００内に入り、第２洗浄水流通孔１０３２を通過する。弁体１０３は、洗浄水供給管２００の内圧が低下しているため、図５（ａ），（ｂ）に示したように、第１筒部１０２０側に移動しており、第１筒部１０２０の軸挿通孔１０２１の周壁部１０２１ａに小径部１０３ａが当接している。従って、薬剤が混合された洗浄水は、第２洗浄水流通孔１０３２を通過後、切り欠き部１０１０に位置している弁体１０３の大径部１０３ｂの外周面と連通管１１０の内周面との間を通過し、さらに、小径部１０３ａの外側を通過して第１洗浄水流通孔１０２２内に抵抗なく浸入し、連通管１１０の一端部１１０ａから洗浄水供給管２００へと流出する。洗浄水供給管２００に流出した後は、水洗便器に流れていく。
【００３１】
以上より、本実施形態によれば減圧弁１００を連通管１１０内に配設しているため、洗浄水供給管２００を流れる洗浄水の水圧が通常より高い場合でも、減圧して水洗便器用薬剤供給機構１の本体ケース１０に取り込むことができ、洗浄水流入・排出部２０内で弁体２３が振動して連通孔２０Ｄを十分には閉弁せずに洗浄水が本体ケース１０内に流入し続けるような事態を防止できる。また、既存の連通管１１０の内径は、通常、５〜８ｍｍ程度であるが、上記実施形態の減圧弁１００によれば、弁体１０３自体に液体の流通孔を貫通形成するのではなく、ハウジング１０１に切り欠き部１０１０を形成し、弁体１０３の外周面と連通管１１０の内周面との間隙を洗浄水の流路とした構成であり、細径の連通管１１０内に挿入して用いる減圧弁１００として適している。また、本実施形態の減圧弁１００は、連通管１１０内に配設される構造であるため、配管の中途に設ける弁機構のように、配管の外部に弁機構の一部（例えば開閉操作部）が露出して外観に悪影響を与えることもない。
【符号の説明】
【００３２】
１ 水洗便器用薬剤供給機構
１０  本体ケース
２０  洗浄水流入・排出部
１００  減圧弁
１０１  ハウジング
１０１０  切り欠き部
１０２０  第１筒部
１０２２  第１洗浄水流通孔
１０３０  第２筒部
１０３２  第２洗浄水流通孔
１０２  シャフト
１０３  弁体
１０３ａ  小径部
１０３ｂ  大径部
【図１】
2015161095.tif 000003
【図２】
2015161095.tif 000004
【図３】
2015161095.tif 000005
【図４】
2015161095.tif 000006
【図５】
2015161095.tif 000007
【図６】
2015161095.tif 000008
【図７】
2015161095.tif 000009
【図８】
2015161095.tif 000010